(57)【要約】【課題】利用者が過去に再生したコンテンツを再び容易に楽しむことができるコンテンツ再生装置およびコンテンツ再生方法を提供すること。【解決手段】音声や映像などのコンテンツの再生時に環境条件情報を取得する条件取得部（位置取得部１１１、時刻取得部１１３など）と、環境条件情報をコンテンツと関連付けて記憶する記憶部１４０とを備えるよう構成した。また、制御部１５０が、環境条件取得部（位置取得部１１１、時刻取得部１１３など）によって取得された現在の環境条件情報と記憶部１４０に記憶された過去の環境条件情報とを比較し、比較結果に基づいてコンテンツを選択するよう構成した。【選択図】  図１
2004178666.tif 000002
【特許請求の範囲】
【請求項１】
コンテンツを再生するコンテンツ再生部と、前記コンテンツの再生時に環境条件情報を取得する条件取得部と、前記環境条件情報を前記コンテンツと関連付けて記憶する記憶部とを備えることを特徴とするコンテンツ再生装置。
【請求項２】
コンテンツの再生時における過去の環境条件情報を前記コンテンツと関連付けて記憶する記憶部と、現在の環境条件情報を取得する条件取得部と、前記条件取得部によって取得された現在の環境条件情報と前記過去の環境条件情報とを比較してコンテンツを選択する制御部とを備えることを特徴とするコンテンツ再生装置。
【請求項３】
コンテンツを再生するステップと、前記コンテンツの再生時に環境条件情報を取得するステップと、前記環境条件情報を前記コンテンツと関連付けて記憶部に記憶するステップとを含むことを特徴とするコンテンツ再生方法。
【請求項４】
現在の環境条件情報を取得するステップと、コンテンツの再生時における過去の環境条件情報を前記コンテンツと関連付けて記憶する記憶部を参照して、前記現在の環境条件情報と前記過去の環境条件情報とを比較するステップと、前記比較結果に基づいて選択されたコンテンツを再生するステップとを含むことを特徴とするコンテンツ再生方法。
【発明の詳細な説明】
【０００１】
【発明の属する技術分野】
本発明は、音声コンテンツ、映像コンテンツ、その他のコンテンツを再生するコンテンツ再生装置に関する。
【０００２】
【従来の技術】
音声コンテンツや映像コンテンツなどのコンテンツは、いたるところに偏在しており、光ディスク、メモリカードなどの記録媒体から、または、インターネット、移動体通信網などのネットワークを介して、利用者は、いつでも、どこからでも、様々なコンテンツの中から、所望のコンテンツを自由に選択して楽しむことができるようになった。
【０００３】
また、従来のコンテンツ再生装置は、音声コンテンツと映像コンテンツとを同期して再生するようになっており、利用者は、このような従来のコンテンツ再生装置を用いて、複数種類のコンテンツを同時に楽しむことができる（例えば特許文献１を参照）。
【０００４】
【特許文献１】
特開平１０−１４３９７８号公報（図１−５、第１−４頁）
【０００５】
【発明が解決しようとする課題】
しかしながら、コンテンツは世の中にあふれており、従来のコンテンツ再生装置では、利用者がコンテンツを毎回選択しなければならず、したがって、利用者が過去に再生したコンテンツを再び容易に楽しむことができないという問題があった。
【０００６】
例えば、朝には朝に合う、夜には夜に合う、音楽や映像を楽しみたい。また、例えば、春には春に合う、夏には夏に合う、音楽や映像を楽しみたい。また、例えば、海であれば海に合う、山であれば山に合う、音楽や映像を楽しみたい。このような利用者の環境に合うコンテンツは環境が変わる毎に利用者が選択操作しなければ楽しめない。また、「あの時」、「あの場所」で楽しんだコンテンツを、再び楽しみたいと思った時、利用者が再び選択操作をしなければ楽しめない。また、コンテンツの所在を忘れてしまえば、同じコンテンツを取り出すのは容易でない。さらに、コンテンツを楽しんだことは覚えているが、コンテンツの名称が何であったか忘れていたり、どのようなコンテンツであったかさえ忘れてしまった場合には取り出すことができない。
【０００７】
本発明はこのような問題を解決するためになされたもので、利用者が過去に再生したコンテンツを再び容易に楽しむことができるコンテンツ再生装置およびコンテンツ再生方法を提供するものである。
【０００８】
【課題を解決するための手段】
本発明のコンテンツ再生装置は、コンテンツを再生するコンテンツ再生部と、前記コンテンツの再生時に環境条件情報を取得する条件取得部と、前記環境条件情報を前記コンテンツと関連付けて記憶する記憶部とを備える構成を有している。
【０００９】
この構成により、コンテンツが再生された時の環境条件情報がコンテンツと関連付けされて記憶されるので、利用者は、過去に再生したコンテンツを再び容易に楽しむことができる。
【００１０】
本発明のコンテンツ再生装置は、コンテンツの再生時における過去の環境条件情報を前記コンテンツと関連付けて記憶する記憶部と、現在の環境条件情報を取得する条件取得部と、前記条件取得部によって取得された現在の環境条件情報と前記過去の環境条件情報とを比較してコンテンツを選択する制御部とを備える構成を有している。
【００１１】
この構成により、利用者が過去に再生したコンテンツが利用者の現在の環境に合うときに選択されるので、利用者は、過去に再生したコンテンツを再び容易に楽しむことができる。
【００１２】
【発明の実施の形態】
以下、本発明の一実施の形態のコンテンツ再生装置について、図面を用いて説明する。
【００１３】
図１は、本発明の一実施の形態のコンテンツ再生装置を示すブロック図である。
【００１４】
図１において、コンテンツ再生装置は、車両に載置され、現在の位置を取得する位置取得部１１１と、現在の車速を取得する車速取得部１１２と、現在の時刻を取得する時刻取得部１１３と、現在の温度を取得する温度取得部１１４と、音声コンテンツを再生する音声再生部１２１と、映像コンテンツを再生する映像再生部１２２と、家庭などに設置された配信装置１０から仮想私設網（ＶＰＮ：Ｖｉｒｔｕａｌ  Ｐｒｉｖａｔｅ  Ｎｅｔｗｏｒｋ）を介して音声コンテンツや映像コンテンツなどのコンテンツを取得する通信部１３１と、メモリカードからコンテンツを取得するカードインタフェース１３２と、利用者から各種情報が入力される入力部１３３と、撮影して映像コンテンツを取得する撮像部１３４と、光ディスクからコンテンツを取得する光ディスクインタフェース１３５と、再生されたコンテンツを記憶するとともに、コンテンツ再生時の環境条件情報を記憶する記憶部１４０と、コンテンツ再生時の環境条件情報を再生されたコンテンツと関連付けるとともに、現在の環境条件情報と過去の環境条件情報とを比較し、比較結果に基づいてコンテンツを選択する制御部１５０とを備える。
【００１５】
なお、位置取得部１１１、車速取得部１１２、時刻取得部１１３、および、温度取得部１１４は、現在の環境条件情報を取得する条件取得部を構成する。また、音声再生部１２１、および、映像再生部１２２は、コンテンツを再生するコンテンツ再生部を構成する。また、通信部１３１、カードインタフェース１３２、撮像部１３４、および、光ディスクインタフェース１３５は、コンテンツを取得するコンテンツ取得部を構成する。
【００１６】
ここで、環境条件情報は、利用者がいる環境を示す情報である。本実施の形態において、環境条件情報には、位置情報、時刻情報、車速情報、および、温度情報が含まれる。また、環境条件情報には、条件取得部によって取得されたそのままの環境条件情報のみでなく、制御部１５０によって分類された分類情報を含む。例えば、７月であれば「夏」、１８：００以降であれば「夜」というような分類情報である。また、例えば、位置情報に基づいて、地図情報を参照して分類された、「海岸」、「スキーリゾート」、「都市部」、「高速道路」というような分類情報である。
【００１７】
また、位置情報は、入力部１３３から入力された目的地情報や、地図情報を参照して得られた経路情報を含む。
【００１８】
また、コンテンツには、音楽や声を記録した音声コンテンツ、および、静止画や動画を記録した映像コンテンツが含まれる。また、コンテンツは、デジタルデータで取得したデジタルコンテンツ、アナログデータで取得してデジタルデータに変換して生成したデジタルコンテンツが含まれる。
【００１９】
位置取得部１１１は、車両に設けられたＧＰＳ（Ｇｌｏｂａｌ  Ｐｏｓｉｔｉｏｎｉｎｇ  Ｓｙｓｔｅｍ）アンテナを介してＧＰＳ衛星から受信した信号や、車両に設けられた車速センサからの車速情報、方位を取得する方位センサからの方位情報、および、記憶部１４０または光ディスクに記憶された地図情報に基づいて、現在の位置を測定する。
【００２０】
車速取得部１１２は、車両に設けられた車速センサから、現在の車速を取得する。
【００２１】
時刻取得部１１３は、時計からなり、計時を行って、現在の日時を取得する。
【００２２】
温度取得部１１４は、車両に設けられた温度センサから、温度を取得する。
【００２３】
制御部１５０は、音声再生部１２１や映像再生部１２２でコンテンツが再生される時に、位置取得部１１１や時刻取得部１１３で取得した環境条件情報を、再生されるコンテンツに関連付ける。
【００２４】
また、制御部１５０は、取得された環境条件情報を分類して分類情報を生成する。例えば、時刻取得部１１３で取得した時刻情報に基づいて、７月であれば「夏」、１８：００以降であれば「夜」といった分類情報を生成する。また、例えば、位置取得部１１１で取得した位置情報と、記憶部１４０に記憶された地図情報とに基づいて、「海岸」、「スキーリゾート」、「都市部」、「高速道路」といった分類情報を生成する。このような分類情報も環境条件情報に含まれ、コンテンツに関連付けされる。
【００２５】
また、制御部１５０は、利用者によって入力部１３３から入力されたコメントをコンテンツに関連付ける。例えば、「恋人とドライブ」といったコメントが、補足メモとして、恋人とドライブした時に再生されたコンテンツと関連付けされる。
【００２６】
さらに、制御部１５０は、音声コンテンツと映像コンテンツが同時に再生されたとき、音声コンテンツと映像コンテンツとを同期して記憶部１４０に記憶させる。
【００２７】
また、制御部１５０は、入力部１３３から予め入力された比較条件に基づき、現在の環境条件情報と記憶部１４０に記憶された過去の環境条件情報とを比較し、比較結果に基づいてコンテンツを選択する。
【００２８】
記憶部１４０は、制御部１５０によってコンテンツに関連付けされた環境条件情報を記憶する。また、記憶部１４０は、制御部１５０によってコンテンツに関連付けされたコメントを記憶する。
【００２９】
図４は、環境条件情報がコンテンツに関連付けされて生成された環境条件情報テーブル４００の例を示す。図４において、位置情報４１０は、コンテンツが再生された時の位置を示す。時刻情報４２０は、コンテンツが再生された時の日時を示す。その他環境条件情報４３０としては、コンテンツが再生された時の温度や、車速が含まれる。コメント４４０は、利用者によって入力部１３３から入力された情報である。また、第１のコンテンツのＵＲＬ（Ｕｎｉｆｏｒｍ  Ｒｅｓｏｕｒｃｅ  Ｌｏｃａｔｏｒ）４５０は映像コンテンツの取得方法と格納場所と名称とを示す。また、第２のコンテンツのＵＲＬ４６０は音声コンテンツの取得方法と格納場所と名称とを示す。このような環境条件情報テーブル４００が、制御部１５０によって、記憶部１４０に生成される。
【００３０】
入力部１３３は、遠隔操作装置、タッチパネル、音声入力装置などによって構成される。
【００３１】
入力部１３３は、コンテンツに関連付けするコメントが入力される。
【００３２】
さらに、入力部１３３は、過去の環境条件情報と現在の環境条件情報とを比較するための比較条件が入力される。例えば、位置情報についてのみ比較するか、位置情報と時刻情報との両方について比較するかが入力される。
【００３３】
配信装置１０は、コンテンツを記憶した記憶部１１と、配信装置１０の記憶部１１からコンテンツを取り出す制御部１２と、コンテンツ再生装置１００と通信し、コンテンツ再生装置１００から要求されたコンテンツをコンテンツ再生装置１００に配信する通信部１３とを備える。
【００３４】
次に、本実施の形態のコンテンツ再生装置におけるコンテンツ再生時の環境条件情報の記憶について、図２のフローチャートを用いて説明する。
【００３５】
図２において、まず、利用者によって選択されたコンテンツが再生される（Ｓ２０１）。具体的には、入力部１３３においてコンテンツの選択指示が入力され、映像再生部１２２によって映像コンテンツが再生されるとともに、音声再生部１２１によって音声コンテンツが再生される。なお、コンテンツは、通信部１３１、カードインタフェース１３２、撮像部１３４、および、光ディスクインタフェース１３５によって取得される。記憶部１４０に記憶されたコンテンツが制御部１５０によって取得されてもよい。
【００３６】
例えば、利用者が海岸で家族や恋人とデジタルカメラで撮影した映像が、入力部１３３によって選択指示され、カードインタフェース１３２によってメモリカードから取得されて、映像再生部１２２によって再生されるとともに、海に合う音楽が、利用者によって入力部１３３から選択指示され、光ディスクインタフェース１３５によって光ディスクから取得されて、音声再生部１２１によって再生される。再生された複数のコンテンツ（ここでは映像および音楽）は、互いに同期されて、記憶部１４０に記憶される。また、再生された複数のコンテンツの各ＵＲＬが、互いに関連付けされて記憶部１４０に記憶される。なお、再生されたコンテンツがコンテンツ再生装置１００の記憶部１４０に蓄積された場合には、ＵＲＬは、コンテンツ再生装置１００の記憶部１４０におけるコンテンツの格納場所を示す情報を含む。
【００３７】
また、利用者は、遠隔地に蓄積されたコンテンツを選択して再生させてもよい。例えば、家庭に配置された配信装置１０に蓄積されたコンテンツが、入力部１３３によって選択指示され、通信部１３１によってＶＰＮを介して取得され、音声再生部１２１や映像再生部１２２によって再生される。再生されるコンテンツは、記憶部１４０に記憶してもよいが、ＵＲＬのみを記憶部１４０に記憶してもよい。コンテンツを記憶部１４０に記憶しないでＵＲＬのみを記憶部１４０に記憶する場合、ＵＲＬは、配信装置１０におけるコンテンツの格納場所を示す情報を含む。
【００３８】
また、コンテンツ再生時、現在の環境条件情報が取得される（Ｓ２０２）。具体的には、位置取得部１１１によって、経度および緯度を含む現在の位置情報が取得され、時刻取得部１１３によって、年月日時分秒を含む現在の時刻情報が取得される。また、車速取得部１１２によって車速情報が取得され、温度取得部１１３によって温度情報が取得される。
【００３９】
また、制御部１５０によって分類情報が生成される。例えば、７月であれば「夏」、１８：００以降であれば「夜」に分類される。また、例えば、取得された経度および緯度と地図情報とに基づいてどの地域であるか分類される。また、例えば、「海岸」、「スキーリゾート」、「都市部」、「高速道路」というように分類される。このような分類情報も現在の環境条件情報に含まれる。
【００４０】
取得された現在の環境条件情報は、再生されているコンテンツと関連付けされて記憶部１４０に記憶される（Ｓ２０３）。例えば、位置取得部１１１によって取得された位置情報と、時刻取得部１１３によって取得された時刻情報とが、再生されているコンテンツのＵＲＬと関連付けされて記憶部１４０に記憶される。詳細には、例えば、再生開始時の位置情報および時刻情報と、再生終了時の位置情報および時刻情報とがコンテンツのＵＲＬと関連付けされて記憶される。また、例えば、車速取得部１１２によって取得された車速情報や、温度取得部１１３によって取得された温度情報が、再生されているコンテンツのＵＲＬと関連付けされて記憶部１４０に記憶される。
【００４１】
なお、取得された環境条件情報のみを記憶するのではなく、制御部１５０によって分類情報が生成され、生成された分類情報がコンテンツのＵＲＬに関連付けされて記憶部１４０に記憶される。例えば、７月であれば「夏」、１８：００以降であれば「夜」に分類され、これらの分類情報（「夏」、「夜」）が記憶部１４０に記憶される。また、例えば、取得された経度および緯度と地図情報とに基づいてどの地域であるか分類される。また、「海岸」、「スキーリゾート」、「都市部」、「高速道路」といった分類がされ、これらの分類情報（「海岸」、「スキーリゾート」、「都市部」、「高速道路」）が記憶部１４０に記憶される。
【００４２】
またさらに、利用者によって入力部１３３からコメントが入力された場合には、入力されたコメントが、再生されているコンテンツのＵＲＬと関連付けされて記憶部１４０に記憶される。
【００４３】
次に、本実施の形態のコンテンツ再生装置における現在の環境条件情報が過去の環境条件情報に適合した時のコンテンツの再生について、図３のフローチャートを用いて説明する。
【００４４】
図３において、一定の周期で現在の環境条件情報が取得される（Ｓ３０１）。具体的には、位置取得部１１１によって、経度および緯度を含む現在の位置情報が取得され、時刻取得部１１３によって、年月日および時分秒を含む現在の時刻情報が取得される。また、車速取得部１１２によって車速情報が取得され、温度取得部１１３によって温度情報が取得される。
【００４５】
次に、取得された現在の環境条件情報と記憶部１４０に記憶された過去の環境条件情報とが比較される（Ｓ３０２）。例えば、制御部１５０によって、位置取得部１１１で取得された現在の位置情報が記憶部１４０に記憶された過去の位置情報と比較され、現在と同じ位置あるいは同じ地域で再生されたコンテンツの有無が判定される。また、例えば、制御部１５０によって、時刻取得部１１３で取得された現在の時刻情報が記憶部１４０に記憶された過去の時刻情報と比較され、現在と同じ時間帯あるいは同じ月に再生されたコンテンツの有無が判定される。また、例えば、制御部１５０によって、車速取得部１１２で取得された現在の車速情報や、温度取得部１１３で取得された現在の温度情報が、記憶部１４０に記憶された過去の情報と比較される。また、制御部１５０によって、「夏」や「夜」といった時刻に関する分類情報、「海岸」、「スキーリゾート」、「都市部」、「高速道路」といった位置に関する分類情報が現在と過去について比較される。
【００４６】
そして、制御部１５０によって、現在の環境条件に適合するコンテンツの有無が判定される（Ｓ３０３）。例えば、入力部１３３によって「同じ地域」という指定が予めされている場合には、過去に、同じ地域で再生されたコンテンツの有無が判定される。また、例えば、「海岸、同じ月」という指定が予めされている場合には、過去に、海岸に分類された位置で現在と同じ月に再生されたコンテンツの有無が判定される。
【００４７】
現在の環境条件に適合するコンテンツがある場合には、制御部１５０によって、現在の環境条件に適合するコンテンツが選択され（Ｓ３０４）、音声コンテンツが音声再生部１２１によって再生され、映像コンテンツが映像再生部１２２によって再生される（Ｓ３０５）。
【００４８】
以上説明したように、本実施の形態のコンテンツ再生装置１００は、映像コンテンツを再生する映像再生部１２１と、音声コンテンツを再生する音声再生部１２１と、映像コンテンツや音声コンテンツの再生時に、位置情報を取得する位置取得部１１１、時刻情報を取得する時刻取得部１１３、その他の環境条件取得部と、位置情報、時刻情報、その他の環境条件情報をコンテンツと関連付ける制御部１５０と、位置情報、時刻情報、その他の環境条件情報を、映像コンテンツおよび音声コンテンツと関連付けて記憶する記憶部１４０とを備えるので、利用者が任意に選択してコンテンツを再生した時、再生時の環境条件情報が再生されたコンテンツと関連付けされて記憶されることになり、利用者が過去に再生したコンテンツを再び容易に楽しむことができる。例えば、利用者の思い出を再現させることができるような、思い出アルバムを作成できる。
【００４９】
また、本実施の形態のコンテンツ再生装置１００は、制御部１５０が、同時に再生された音声コンテンツと映像コンテンツとについて、同期して記憶部１４０に記憶させるようになっているので、利用者が過去に音声コンテンツと映像コンテンツとを同時に再生させた場合には、過去と同じように再生される音声コンテンツと映像コンテンツとを楽しむことができる。
【００５０】
また、本実施の形態のコンテンツ再生装置１００は、制御部１５０が、現在の環境条件情報と記憶部１４０に記憶された過去の環境条件情報とを比較してコンテンツを選択し、選択されたコンテンツを映像再生部１２１および音声再生部１２１が再生するようになっているので、利用者が過去に再生したコンテンツが利用者の現在の環境に合うときに選択されることになり、利用者は、過去に再生したコンテンツを再び容易に楽しむことができる。
【００５１】
また、本実施の形態のコンテンツ再生装置１００は、制御部１５０が、位置取得部１１１、時刻取得部１１３などで取得された環境条件情報を分類して分類情報を生成し、生成した分類情報を再生されたコンテンツと関連付けて記憶するようになっているので、現在の位置や時刻が過去の位置や時刻と完全には一致しない場合であっても、過去と同じ分類であれば再生させるようにすることができる。
【００５２】
なお、前述の実施の形態では、現在の環境条件が過去の環境条件に適合した時に過去に再生したコンテンツを再生する場合について説明したが、利用者が過去の環境条件を指定することにより、指定された環境条件で過去に再生したコンテンツを再生するようにしてもよい。例えば、湘南海岸で２００２年の７月２０日に映像と音楽とを再生した場合には、過去の環境条件として、湘南海岸を示す位置情報、２００２年７月２０日の再生日時を示す時刻情報が、映像および音楽と関連付けされて記憶されるので、後日、入力部１３３から過去の環境条件、例えば「２００２年、夏、湘南海岸」と指定したときに、湘南海岸で２００２年の７月２０日に再生した映像と音楽とを再び楽しむことができる。
【００５３】
また、環境条件情報は、通信部１３１によって、インターネットを介して取得してもよい。例えば、コンテンツを再生した時の天候情報（「晴」、「雨」、「雪」など）をインターネットから取得し、再生したコンテンツに関連付けてもよい。
【００５４】
また、コンテンツは、通信部１３１によって、インターネットを介して取得してもよい。例えば、２００２年にドライブした思い出を後に楽しみたい時、映像については、２００２年のドライブ当時のものを再生させ、音楽については、２００２年のドライブで再生したものではなく、インターネットを介して取得した２００２年のベスト４０ヒット曲に切り替えて再生してもよい。
【００５５】
また、現在の環境条件情報を過去にコンテンツが再生された時の環境条件情報と比較する場合に限らなくてもよい。例えば、現在の車速が予め決められた閾値、あるいは、その道路の制限速度を越えたか否かを制御部１５０で判定し、超えたと判定された場合には、記憶部１４０に予め記憶された子供などの写真を表示し、注意を促すようにしてもよい。また、例えば、高速道路を走行しているときに、記憶部１４０に予め記憶された目を覚ますような画像を周期的に表示させるようにしてもよい。
【００５６】
【発明の効果】
本発明によれば、利用者が過去に再生したコンテンツを再び容易に楽しむことができるという優れた効果を有するコンテンツ再生装置およびコンテンツ再生方法を提供することができる。
【図面の簡単な説明】
【図１】本発明の一実施の形態のコンテンツ再生装置を示すブロック図
【図２】本発明の一実施の形態のコンテンツ再生装置におけるコンテンツ再生処理を示す第１のフローチャート
【図３】本発明の一実施の形態のコンテンツ再生装置におけるコンテンツ再生処理を示す第２のフローチャート
【図４】本発明の一実施の形態のコンテンツ再生装置における環境条件情報の記憶の例を示す図
【符号の説明】
１０    配信装置
１００  コンテンツ再生装置
１１１  位置取得部
１１２  車速取得部
１１３  時刻取得部
１１４  温度取得部
１２１  音声再生部
１２２  映像再生部
１３１  通信部
１３２  カードインタフェース
１３３  入力部
１３４  撮像部
１３５  光ディスクインタフェース
１４０  記憶部
１５０  制御部
【図１】
2004178666.tif 000003
【図２】
2004178666.tif 000004
【図３】
2004178666.tif 000005
【図４】
2004178666.tif 000006